(57)【要約】【課題】簡単な構造でベストに変形可能なレッグウォーマーを提供する。【解決手段】前身頃１００の生地と後身頃２００の生地とから構成されるベスト２０に変形可能なレッグウォーマー１０であって、前身頃１００には、前衿ぐり部１５０の左右の肩線に沿って設けられた第１の接合部材１１０と、左右の脇線に沿って設けられた第２の接合部材１２０と、裾に沿って設けられた第３の接合部材１３０と、第３の接合部材１３０に着脱自在に接合される第４の接合部材１４０とを備え、後身頃２００には、第１の接合部材１１０に着脱自在に接合される第５の接合部材２１０と、第２の接合部材１２０に着脱自在に接合される第６の接合部材２２０と、裾に沿って設けられた第７の接合部材２３０と、第７の接合部材２３０に着脱自在に接合される第８の接合部材２４０とを備える。【選択図】図１
2016138355.tif 000002
【特許請求の範囲】
【請求項１】
前身頃の生地と後身頃の生地とから構成される袖なし上半身衣類に変形可能な脚用防寒具であって、各前記生地が備える着脱自在な接合部材により前記生地どうしまたは各前記生地自体が接合および分離可能に構成され、
前記前身頃には、前衿ぐり部の左右の肩線に沿って設けられた第１の接合部材と、左右の脇線に沿って設けられた第２の接合部材と、裾に沿って設けられた第３の接合部材と、胸部に前記第３の接合部材の略平行に設けられ前記第３の接合部材に着脱自在に接合される第４の接合部材とを備え、
前記後身頃には、後衿ぐり部の左右の肩線に沿って設けられ前記第１の接合部材に着脱自在に接合される第５の接合部材と、左右の脇線に沿って設けられ前記第２の接合部材に着脱自在に接合される第６の接合部材と、裾に沿って設けられた第７の接合部材と、前記第４の接合部材に対応する位置に前記第７の接合部材の略平行に設けられ前記第７の接合部材に着脱自在に接合される第８の接合部材とを備え、
第１の使用態様においては、前記前身頃の前記第３の接合部材と前記第４の接合部材とを接合し、前記後身頃の前記第７の接合部材と前記第８の接合部材とを接合して、２つの筒状の脚用防寒具を構成し、
第２の使用態様においては、前記第１の使用態様における接合を分離して、前記第１の接合部材と前記第５の接合部材とを接合して左右両方の肩線を形成し、前記第２の接合部材と前記第６の接合部材とを接合して左右両方の脇線を形成して、１つの袖なし上半身衣類を構成する、
袖なし上半身衣類に変形可能な脚用防寒具。
【請求項２】
前記接合部材は、ファスナー、面ファスナー、ホックおよびボタンのいずれか、または、これらの組合せであることを特徴とする、請求項１に記載の脚用防寒具。
【請求項３】
前記第２の使用態様における袖なし上半身衣類における表側生地と裏側生地とで、素材、模様および色彩の少なくとも１つが異なることを特徴とする、請求項１または請求項２に記載の脚用防寒具。
【請求項４】
前記生地は中綿生地であることを特徴とする、請求項１〜請求項３のいずれかに記載の脚用防寒具。
【発明の詳細な説明】
【技術分野】
【０００１】
本発明は、衣類としても使用できる防寒具に関し、特に、簡単な構造で袖なし上半身衣類に変形可能な脚用防寒具に関する。
【背景技術】
【０００２】
従来から、一着でありながら、ブルゾン（袖あり上半身衣類）またはベスト（袖なし上半身衣類）として２通りの着用が適宜可能となされるブルゾン兼用ベストが、たとえば実用新案登録第３０７２５２３号公報（特許文献１）に開示されている。さらに、このような袖あり衣類と袖なし衣類とを兼用するのではなく、ベスト（袖なし上半身衣類）とバックまたはリュックとを兼用する衣類が、たとえば特開２０１０−０１３７８１号公報（特許文献２）、実用新案登録第３０８７７８６号公報（特許文献３）に開示されている。
【０００３】
特許文献１に開示されたブルゾン兼用ベストは、旅行先等で急に天候が変化した場合（暑くなった場合に）容易にブルゾン（袖あり上半身衣類）からベスト（袖なし上半身衣類）へ（寒くなった場合にはこの逆）変化させることができる点で好ましい。特許文献２または特許文献３に開示されたベストは、ベストの裾に沿って設けられたファスナー等で前身頃と後身頃とを接合して底部を形成してバッグまたはリュックに変化させることができ、旅行先等で急に入れ物が必要になったときに緊急にバッグまたはリュックとして使用できる点で好ましい。
【先行技術文献】
【特許文献】
【０００４】
【特許文献１】実用新案登録第３０７２５２３号公報
【特許文献２】特開２０１０−０１３７８１号公報
【特許文献３】実用新案登録第３０８７７８６号公報
【発明の概要】
【発明が解決しようとする課題】
【０００５】
ところで、保温性の高い中綿等を内包した中綿ベスト（袖なし上半身衣類）が流行している。このような中綿ベストに対して特許文献１に開示された技術を適用すると、冬季の旅行先等で急に寒くなったときに中綿ベストからブルゾンへ変化させることができたり、中綿ベストに対して特許文献２または特許文献３に開示された技術を適用すると、中綿ベストとバッグまたはリュックとを兼用させることができたりする。
【０００６】
しかしながら、冬季の旅行先等においてこのような中綿ベストを着用している場合に（さらに上着を着用していても構わない）、交通機関（列車、バス等）に乗車すると空調の影響で上半身が暑く感じるが下半身が寒く感じる場合がある。このような場合には、中綿ベストを脱いでしまうことにより上半身の暑さは解消できても、下半身の寒さは解消できない。下半身の寒さ対策のために防寒専用具を準備するのは嵩高さがあるために、特に旅行においては好ましくない。
【０００７】
本発明は、従来技術の上記の問題点に鑑みて開発されたものであり、その目的とするところは、衣類としても使用できる防寒具であって、簡単な構造で袖なし上半身衣類に変形可能な脚用防寒具を提供することを目的とする。
【課題を解決するための手段】
【０００８】
上記目的を達成するため、本発明に係る袖なし上半身衣類に変形可能な脚用防寒具は以下の技術的手段を講じている。
すなわち、本発明に係る脚用防寒具は、前身頃の生地と後身頃の生地とから構成される袖なし上半身衣類に変形可能な脚用防寒具であって、各前記生地が備える着脱自在な接合部材により前記生地どうしまたは各前記生地自体が接合および分離可能に構成され、前記前身頃には、前衿ぐり部の左右の肩線に沿って設けられた第１の接合部材と、左右の脇線に沿って設けられた第２の接合部材と、裾に沿って設けられた第３の接合部材と、胸部に前記第３の接合部材の略平行に設けられ前記第３の接合部材に着脱自在に接合される第４の接合部材とを備え、前記後身頃には、後衿ぐり部の左右の肩線に沿って設けられ前記第１の接合部材に着脱自在に接合される第５の接合部材と、左右の脇線に沿って設けられ前記第２の接合部材に着脱自在に接合される第６の接合部材と、裾に沿って設けられた第７の接合部材と、前記第４の接合部材に対応する位置に前記第７の接合部材の略平行に設けられ前記第７の接合部材に着脱自在に接合される第８の接合部材とを備え、第１の使用態様においては、前記前身頃の前記第３の接合部材と前記第４の接合部材とを接合し、前記後身頃の前記第７の接合部材と前記第８の接合部材とを接合して、２つの筒状の脚用防寒具を構成し、第２の使用態様においては、前記第１の使用態様における接合を分離して、前記第１の接合部材と前記第５の接合部材とを接合して左右両方の肩線を形成し、前記第２の接合部材と前記第６の接合部材とを接合して左右両方の脇線を形成して、１つの袖なし上半身衣類を構成する。
【０００９】
好ましくは、前記接合部材は、ファスナー、面ファスナー、ホックおよびボタンのいずれか、または、これらの組合せであるように構成することができる。
さらに好ましくは、前記第２の使用態様における袖なし上半身衣類における表側生地と裏側生地とで、素材、模様および色彩の少なくとも１つが異なるように構成することができる。
【００１０】
さらに好ましくは、前記生地は中綿生地であるように構成することができる。
【発明の効果】
【００１１】
本発明の袖なし上半身衣類に変形可能な脚用防寒具によれば、衣類としても使用できる防寒具であって、簡単な構造で袖なし上半身衣類に変形可能な脚用防寒具を提供することができる。
【図面の簡単な説明】
【００１２】
【図１】本発明に係る袖なし上半身衣類に変形可能な脚用防寒具の一例であるレッグウォーマーベストの全体斜視図およびその変形手順を説明するための斜視図である。
【図２】図１のレッグウォーマーベストの平面図である。
【図３】図１のレッグウォーマーベストの変形手順を説明するための平面図である。
【発明を実施するための形態】
【００１３】
以下、本発明に係る袖なし上半身衣類に変形可能な脚用防寒具を、図面に基づき詳しく説明する。なお、以下においては、本発明に係る袖なし上半身衣類に変形可能な脚用防寒具の一例としてレッグウォーマーベストについて説明する。このレッグウォーマーベストは、第１の使用態様である脚用防寒具としてのレッグウォーマー１０から第２の使用態様である袖なし上半身衣類としてのベスト２０への変形が可能であって、その逆の変形も可能である。レッグウォーマー１０は脚用防寒具の一例でしかなく、ベスト２０は袖なし上半身衣類の一例でしかない。
【００１４】
さらに、このレッグウォーマーベスト（レッグウォーマー１０、ベスト２０）が備える着脱自在な接合部材は、ファスナーであるとして説明するが、ファスナーではなく面ファスナー、ホックおよびボタンのいずれか、または、ファスナーを含むこれらの組合せであっても構わない。
［構成］
図１（Ａ）に本実施の形態に係るレッグウォーマーベスト（レッグウォーマー１０、ベスト２０）の全体斜視図を、図１（Ｂ）にレッグウォーマーベストの変形手順（ベスト２０からレッグウォーマー１０への変形およびレッグウォーマー１０からベスト２０への変形）を説明するための斜視図をそれぞれ示す。また、図２（Ａ）にレッグウォーマーベストを構成する前身頃１００の平面図を、図２（Ｂ）にレッグウォーマーベストを構成する後身頃２００の平面図をそれぞれ示す。さらに、図３（Ａ）にベスト２０において前身頃１００と後身頃２００とを分離した状態の平面図を、図３（Ｂ）に図３（Ａ）の状態からレッグウォーマー１０への変形手順を説明するための平面図をそれぞれ示す。なお、図２（Ａ）、図２（Ｂ）および図３（Ａ）においては、ベスト２０における前身頃１００も後身頃２００もその表側（肌の反対側）の平面図である。
【００１５】
これらの図に示すように、このレッグウォーマーベストは、前身頃１００の生地と後身頃２００の生地とから構成される（袖なし上半身衣類の一例である）ベスト２０に変形可能な（脚用防寒具の一例である）レッグウォーマー１０であって、前身頃１００の生地および後身頃２００の生地のそれぞれ所定の位置に備える着脱自在な（接合部材の一例である）ファスナーにより生地どうしまたは各生地自体が接合可能および分離可能に構成されている。
【００１６】
前身頃１００には、前衿ぐり部１５０の左右の肩線に沿って設けられた第１の接合部材１１０と、左右の脇線に沿って設けられた第２の接合部材１２０と、裾に沿って設けられた第３の接合部材１３０と、胸部に第３の接合部材１３０の略平行に設けられ第３の接合部材１３０に着脱自在に接合される第４の接合部材１４０とを備える。
後身頃２００には、後衿ぐり部２５０の左右の肩線に沿って設けられ第１の接合部材１１０に着脱自在に接合される第５の接合部材２１０と、左右の脇線に沿って設けられ第２の接合部材１２０に着脱自在に接合される第６の接合部材２２０と、裾に沿って設けられた第７の接合部材２３０と、第４の接合部材１４０に対応する位置に第７の接合部材２３０の略平行に設けられ第７の接合部材２３０に着脱自在に接合される第８の接合部材２４０とを備える。
【００１７】
ここで、図２（Ａ）および図２（Ｂ）に示すように、本実施の形態においては、前身頃１００と後身頃２００とでは衿ぐり部の形状のみが異なる。詳しくは、前衿ぐり部１５０が後衿ぐり部２５０よりも衿ぐりが深く、その他の構成は、前身頃１００と後身頃２００とで同じである。
そして、これらの前身頃１００と後身頃２００とにより構成される本実施の形態に係るレッグウォーマーベストは、以下の２つの使用態様を有する。
【００１８】
第１の使用態様においては、前身頃１００の第３の接合部材１３０と第４の接合部材１４０とを接合し、後身頃２００の第７の接合部材２３０と第８の接合部材２４０とを接合して、２つの筒状のレッグウォーマー１０を構成する。
第２の使用態様においては、第１の使用態様における接合を分離して、前身頃１００の第１の接合部材１１０と後身頃２００の第５の接合部材２１０とを接合して左右両方の肩線を形成し、前身頃１００の第２の接合部材１２０と後身頃２００の第６の接合部材２２０とを接合して左右両方の脇線を形成して、１つのベスト２０を構成する。
【００１９】
なお、上述したように、本実施における接合部材は、公知のファスナーであって、テープ、エレメント（務歯）、スライダー（開閉部品）で構成される。大略的には、務歯（むし）またはエレメントと呼ばれる歯をテープ状の基材に並べて取り付けたもので、左右対になった一組の間でスライダーを動かすことで、左右の務歯同士が順に組み合わさってゆき、自在に開閉できる構造になっている。開いている状態（接合が分離された状態）からスライダーを引っ張って動かせば動かした位置まで閉まった状態（接合された状態）になり、逆に、閉まっている状態からスライダーを引っ張って動かせば動かした位置まで開いている状態（接合が分離された状態）へ戻る。そして、この接合部材により、ベスト２０の状態における前身頃１００と後身頃２００とを別体に分離させることができる。
【００２０】
ここで、第２の使用態様におけるベスト２０における表側生地（図２（Ａ）、図２（Ｂ）および図３（Ａ）に示す表側（肌の反対側）の生地）と裏側生地とで、素材、模様および色彩の少なくとも１つが異なるようにすることもデザイン上好ましい。さらに、図２（Ａ）および図２（Ｂ）に示すように、レッグウォーマーベストを構成する前身頃１００の生地および後身頃２００の生地は、中綿生地であって、表地と裏地との間に薄い綿（ポリエステル綿、羽毛等）を入れて重ねた状態で指し縫いしたキルティングであることも、保温性を高める点で好ましい。
［使用方法］
図１、図３を参照して、本実施の形態に係るレッグウォーマーベストの使用方法（第１の使用態様であるレッグウォーマー１０から第２の使用態様であるベスト２０への変形方法および第２の使用態様であるベスト２０から第１の使用態様であるレッグウォーマー１０への変形方法）について説明する。なお、レッグウォーマー１０からベスト２０への変形方法は、ベスト２０からレッグウォーマー１０への変形方法の逆の手順で行えばよいので、以下においては、第２の使用態様であるベスト２０から第１の使用態様であるレッグウォーマー１０への変形方法について説明する。
【００２１】
図１（Ａ）に示すベスト２０を脱いで、図１（Ｂ）の上段に示すように、前身頃１００の左右両方の肩線を形成する第１の接合部材１１０と後身頃２００の第５の接合部材２１０とが接合している接合状態を開放して、前身頃１００の左右両方の脇線を形成する第２の接合部材１２０と後身頃２００の第６の接合部材２２０とが接合している接合状態を開放して、ベスト２０を前身頃１００と後身頃２００との２つの別体に分離する。このときの状態は、表側（肌の反対側）の生地を図示した図２および図３（Ａ）に示す状態である。
【００２２】
次に、図１（Ｂ）の上段および図３（Ｂ）に示すように、矢示Ｒ方向へ前身頃１００および後身頃２００を丸めるように変形して、前身頃１００の第３の接合部材１３０と前身頃１００の第４の接合部材１４０とを接合して（前身頃１００自体どうしを接合）、後身頃２００の第７の接合部材２３０と後身頃２００の第８の接合部材２４０とを接合して（後身頃２００自体どうしを接合）、２つの筒状のレッグウォーマー１０を形成させる。
【００２３】
なお、上述したように、デザイン上好ましいために、図２（Ｂ）および図３（Ａ）に示す表側（肌の反対側）の生地）と裏側生地とで、素材、模様および色彩の少なくとも１つが異なる場合、レッグウォーマー１０からベスト２０に変形する手順において生地の素材、模様および色彩を表側生地と裏側生地とで合わせるようにしても構わないし、ベスト２０の形状に変形した後にベスト２０を裏返しにして生地の素材、模様および色彩を表側生地と裏側生地とで合わせるようにしても構わない。このようなことは、ベスト２０からレッグウォーマー１０へ変形する場合またはレッグウォーマー１０へ変形した後においても適用することができる。
［作用効果］
以上のようにして、本実施の形態に係るレッグウォーマーベストによると、簡単な構造で、かつ、簡単な手順により、ベストへ変形可能なレッグウォーマー（またはレッグウォーマーへ変形可能なベスト）を提供できる。
【００２４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、上述した実施の形態においては、前身頃１００と後身頃２００とでは衿ぐり部の形状のみが異なる（前衿ぐり部１５０が後衿ぐり部２５０よりも衿ぐりが深い）として説明したが、他の部分も異なっても構わない。
【００２５】
また、前身頃１００および後身頃２００のそれぞれの裾部分において、裾端を袋縫いしてその中に紐またはゴム紐を通してその紐またはゴム紐を縮めて固定できるようにすると、サイズが大きくても、身体とベストとの間の隙間をなくすことができて風の流入を防ぐことができるようになる点で好ましい。
【産業上の利用可能性】
【００２６】
本発明は、衣類として使用できる防寒具に好ましく、簡単な構造で袖なし上半身衣類（ベスト）に変形可能な脚用防寒具（レッグウォーマー）を提供できる点で特に好ましい。
【符号の説明】
【００２７】
１０  レッグウォーマー
２０  ベスト
１００  前身頃
１１０  第１の接合部材
１２０  第２の接合部材
１３０  第３の接合部材
１４０  第４の接合部材
１５０  前衿ぐり部
２００  後身頃
２１０  第５の接合部材
２２０  第６の接合部材
２３０  第７の接合部材
２４０  第８の接合部材
２５０  後衿ぐり部
【図３】
2016138355.tif 000003
【図１】
2016138355.tif 000004
【図２】
2016138355.tif 000005